(57)【要約】【課題】熟練した保守要員でなくてもサーバ等の処理装置の交換が容易にできる情報処理装置及び情報処理装置の制御方法を提供する。【解決手段】情報処理装置は、側板をそれぞれ左右に備える筐体と、筐体に実装する処理装置１２とを有する。処理装置１２は、演算処理装置２２と記憶装置２３とが搭載された基板２１と、基板２１の左右に備えられ水平方向に延伸することにより基板２１を摺動可能なレール１３と、基板２１を筐体に係止する係止部と、係止部による係止が解除されるとともに、基板２１がレール１３に対して摺動することにより筐体１１から引き出された場合、基板２１が引き出されたことを検出する検出部とを有する。【選択図】図８
2018081417.tif 000002
【特許請求の範囲】
【請求項１】
側板をそれぞれ左右に備える筐体と、前記筐体に実装する処理装置とを有する情報処理装置において、
前記処理装置は、
演算処理装置と記憶装置とが搭載された基板と、
前記基板の左右に備えられ水平方向に延伸することにより前記基板を摺動可能なレールと、
前記基板を前記筐体に係止する係止部と、
前記係止部による係止が解除されるとともに、前記基板が前記レールに対して摺動することにより前記筐体から引き出された場合、前記基板が引き出されたことを検出する検出部と
を有することを特徴とする情報処理装置。
【請求項２】
前記情報処理装置はさらに、他の処理装置を有し、
前記検出部が、前記基板が引き出されたことを検出した場合、前記演算処理装置と前記記憶装置とを用いて動作している仮想マシンを、前記他の処理装置にマイグレーションすることを特徴とする請求項１に記載の情報処理装置。
【請求項３】
前記係止部は、ねじ又はレバーにより前記処理装置を前記筐体に係止することを特徴とする請求項１又は２に記載の情報処理装置。
【請求項４】
前記検出部は、前記処理装置に設けられた第１の接点と前記筐体に設けられた第２の接点との接触又は非接触により前記基板が引き出されたか否かを検出することを特徴とする請求項１乃至３のいずれか１項に記載の情報処理装置。
【請求項５】
前記検出部は、更に前記基板が前記筐体から引き出されたときに、前記基板を前記筐体に固定するロック機構を備えることを特徴とする請求項１乃至４のいずれか１項に記載の情報処理装置。
【請求項６】
側板をそれぞれ左右に備える筐体に実装され、演算処理装置と記憶装置とが搭載された基板と、前記基板の左右に備えられ水平方向に延伸することにより前記基板を摺動可能なレールと、前記基板を前記筐体に係止する係止部とを有する処理装置とを備える情報処理装置の制御方法において、
前記処理装置が有する検出部が、
前記係止部による係止が解除され、前記基板が前記レールに対して摺動することにより前記筐体から引き出された場合、前記基板が引き出されたことを検出し、
前記基板が引き出されたことを検出した場合、前記演算処理装置と前記記憶装置とを用いて動作している仮想マシンを、前記他の処理装置にマイグレーションすることを特徴とする情報処理装置の制御方法。
【発明の詳細な説明】
【技術分野】
【０００１】
本発明は、情報処理装置及び情報処理装置の制御方法に関する。
【背景技術】
【０００２】
高度情報化社会の到来により、ネットワークを介して多量のデータが扱われるようになった。それにともない、データセンター等の施設において多数のサーバを同一室内に設置し、一括管理することが多くなっている。１つのデータセンターには、数十台から数千台のサーバを設置しており、管理装置によりそれらのサーバの異常の有無を常時監視している。
【０００３】
サーバの前面パネルにはステータスランプと呼ばれる複数のランプが設けられている。それらのランプは、例えばＣＰＵ（Central Processing Unit）、メモリ、電源ユニット、及びファン等に対応しており、それらの部品に異常が発生すると対応するランプが点灯する。
【０００４】
また、一般的なサーバには、ＢＭＣ（Baseboard Management Controller）と呼ばれるＬＳＩ（Large Scale Integrated circuit）チップが搭載されている。ＢＭＣは、ステータスランプの状態（点灯又は消灯）を検出し、その検出結果を通信ケーブル（例えば、ＬＡＮ（Local Area Network）ケーブル）を介して管理装置に通知する。
【０００５】
異常が発生したサーバは正常なサーバに交換するが、その間サービスが中断しないように、プログラム、データ又はＯＳ（Operating System）等を他のサーバ（以下、「冗長サーバ」という）に移動する。このプログラム、データ又はＯＳを移動する作業はマイグレーションと呼ばれており、専用のソフトウェアを用いて行われる。サーバの交換が完了したら、冗長サーバから交換後のサーバに再度マイグレーションが行われる。
【０００６】
従来から、データセンターにおけるサーバの交換方法が種々提案されている（例えば、特許文献１〜５参照）。
【先行技術文献】
【特許文献】
【０００７】
【特許文献１】ＷＯ２０１４／１５５６５４
【特許文献２】特表平９−５０８９９０号公報
【特許文献３】特開２０１３−２５０７３２号公報
【特許文献４】特開２００６−２６０２３６号公報
【特許文献５】特開平１１−２４８０３号公報
【発明の概要】
【発明が解決しようとする課題】
【０００８】
前述したように、サーバに異常が発生した場合、単に新しいサーバに交換すればよいのではなく、マイグレーション等の作業が必要である。従って、通常、サーバの交換は熟練したＳＥ（System Engineer）又はＣＥ（Customer Engineer）等の保守要員が行う。そのため、監視員（データセンターの作業者）が異常を発見してから保守要員を呼んでサーバの交換を行うまでに時間がかかり、サーバの交換に要する人件費も多大になる。
【０００９】
開示の技術は、保守要員が熟練したＳＥ又はＣＥでなくてもサーバ等の処理装置の交換が容易にできる情報処理装置及び情報処理装置の制御方法を提供することを目的とする。
【課題を解決するための手段】
【００１０】
開示の技術の一観点によれば、側板をそれぞれ左右に備える筐体と、前記筐体に実装する処理装置とを有する情報処理装置において、前記処理装置は、演算処理装置と記憶装置とが搭載された基板と、前記基板の左右に備えられ水平方向に延伸することにより前記基板を摺動可能なレールと、前記基板を前記筐体に係止する係止部と、前記係止部による係止が解除されるとともに、前記基板が前記レールに対して摺動することにより前記筐体から引き出された場合、前記基板が引き出されたことを検出する検出部とを有する情報処理装置が提供される。
【００１１】
開示の技術の他の一観点によれば、側板をそれぞれ左右に備える筐体に実装され、演算処理装置と記憶装置とが搭載された基板と、前記基板の左右に備えられ水平方向に延伸することにより前記基板を摺動可能なレールと、前記基板を前記筐体に係止する係止部とを有する処理装置とを備える情報処理装置の制御方法において、前記処理装置が有する検出部が、前記係止部による係止が解除され、前記基板が前記レールに対して摺動することにより前記筐体から引き出された場合、前記基板が引き出されたことを検出し、前記基板が引き出されたことを検出した場合、前記演算処理装置と前記記憶装置とを用いて動作している仮想マシンを、前記他の処理装置にマイグレーションする情報処理装置の制御方法が提供される。
【発明の効果】
【００１２】
上記一観点に係る情報処理及び情報処理装置の制御方法によれば、保守要員が熟練したＳＥ又はＣＥでなくてもサーバ等の処理装置の交換が容易にできる。
【図面の簡単な説明】
【００１３】
【図１】図１は、ラック内に収納されたサーバを示す図である。
【図２】図２は、スライドレールに支持された状態のサーバを示す上面図（模式図）である。
【図３】図３は、同じくそのサーバの構成を示す図である。
【図４】図４は、サーバの前面パネルに設けられたランプを示す図である。
【図５】図５は、交換作業開始検出機構の一例を示す模式図である。
【図６】図６は、交換作業開始検出機構の構成を示すブロック図である。
【図７】図７（ａ）,（ｂ）は、アクチュエータの動作を示す図である。
【図８】図８は、スライドレールとアクチュエータとの位置関係を示す模式図（その１）である。
【図９】図９（ａ），（ｂ）は、スライドレールとアクチュエータとの位置関係を示す模式図（その２）である。
【図１０】図１０は、実施形態に係る情報処理装置の構成を示す模式図である。
【図１１】図１１は、サーバの構成を示す図である。
【図１２】図１２は、サーバと管理装置との間の信号経路を示す図である。
【図１３】図１３は、管理装置の動作（情報処理装置の制御方法）を示すフローチャートである。
【図１４】図１４（ａ）,（ｂ）はクイックレバーを示す図である。
【発明を実施するための形態】
【００１４】
以下、実施形態について、添付の図面を参照して説明する。
【００１５】
（第１の実施形態）
図１は、ラック内に収納されたサーバを示す図である。
【００１６】
データセンターには多数のラック１１が設置されており、各ラック１１には複数（図１では１台のみ表示）のサーバ１２が収納されている。ラック１１はそれぞれ左右に側板１１ａを備える。各サーバ１２は、それぞれ水平方向に延伸する一対のスライドレール１３を介してラック１１の支柱に支持されている。ラック１１は筐体の一例であり、サーバ１２は処理装置の一例である。
【００１７】
スライドレール１３は、ラック１１の支柱に固定されるアウターレール１３ａと、アウターレール１３ａに沿って摺動（スライド）するインナーレール１３ｂとを有している。サーバ１２はねじ等によりインナーレール１３ｂに固定されており、保守又は交換等の作業を行うときにはサーバ１２をラック１１から容易に引き出すことができる。
【００１８】
図２はスライドレール１３に支持された状態のサーバ１２を示す上面図（模式図）、図３は同じくそのサーバ１２の構成を示す図である。
【００１９】
サーバ１２は、図２に示すように、ＣＰＵ２２及びメモリ２３等が搭載された配線基板２１と、電源ユニット（ＰＳＵ（Power Supply Unit））２４と、ハードディスク２５とを有する。また、配線基板２１には、図３に示すＢＭＣ２６やアクチュエータ駆動部２９も搭載されている。更に、サーバ１２は、上述した配線基板２１、電源ユニット２４及びハードディスク２５以外にも、ファン（送風機）２７及びＮＩＣ（Network Interface Card）２８を有している。ＣＰＵ２２は演算処理装置の一例であり、メモリ２３は記憶装置の一例である。
【００２０】
サーバ１２は、ＮＩＣ２８に接続される通信ケーブル（ＬＡＮケーブル）を介して他のサーバや管理装置３０等と通信する。なお、本実施形態ではデータセンターに設置されたサーバのうち所定のソフトウェア（データセンター管理用ソフトウェア）を読み込んで動作する特定のサーバを管理装置３０としている。但し、サーバとは別に用意した専用のコンピュータを管理装置３０としてもよい。
【００２１】
サーバ１２の前面パネル１２ａには、複数のランプ（ステータスランプ）が設けられている。図４は、サーバ１２の前面パネル１２ａに設けられたランプ（ＬＥＤ（Light-Emitting Diode）ランプ）を示す図である。
【００２２】
図４に示すように、サーバ１２の前面パネル１２ａには、ＣＰＵ２２の異常の有無を示すランプ３１ａ、メモリ２３の異常の有無を示すランプ３１ｂ、ファン２７の異常の有無を示すランプ３１ｃ、ハードディスク２５の異常の有無を示すランプ３１ｄ、電源ユニット２４の異常の有無を示すランプ３１ｅ、温度の異常の有無を示すランプ３１ｆ、及びサーバ１２の異常の有無を示すランプ３１ｇが設けられている。例えばハードディスク２５に異常があると、ランプ３１ｄとランプ３１ｇとが点灯する。また、例えばファン２７に異常があると、ランプ３１ｃとランプ３１ｇとが点灯する。
【００２３】
ＢＭＣ２６は、サーバ１２の電源の状態（オン又はオフ）を示す情報や各ランプ３１ａ〜３１ｇの状態（点灯又は消灯）を示す情報を収集し、それらの情報をＮＩＣ２８を介して管理装置３０に通知する。
【００２４】
ＢＭＣ２６はサーバ１２のＯＳとは別のファームウェアにより動作するため、サーバ１２のＯＳがダウンしているときでもランプ３１ａ〜３１ｇの状態を示す情報を管理装置３０に通知できる。また、管理装置３０は、ＢＭＣ２６を介してサーバ１２の電源をオン−オフしたり、後述するアクチュエータ３５を駆動したりすることができる。
【００２５】
本実施形態では、前面パネル１２ａに設けられた接点とラック１１の支柱に設けられた接点とにより異常のあるサーバ１２の交換作業が開始されたか否かを検出する。図５は、その検出機構（以下、「交換作業開始検出機構」という）の一例を示す模式図、図６は同じくその交換作業開始検出機構の構成を示すブロック図である。
【００２６】
図５に示すように、サーバ１２は、前面パネル１２ａの端部に配置されるねじ３２により、ラック１１の支柱１１ｂに固定される。ねじ３２は係止部の一例である。
【００２７】
前面パネル１２ａの端部裏側には接点３３ａが設けられており、支柱１１ｂには接点３３ｂが設けられている。ねじ３２によりサーバ１２をラック１１（支柱１１ｂ）に固定すると、接点３３ａと接点３３ｂとが接触してそれらの間が電気的に接続される。また、ねじ３２を緩めてサーバ１２をラック１１から引き出すと、接点３３ａと接点３３ｂとが離れてそれらの間が電気的に分離される。
【００２８】
図６に示すように、接点３３ａ，３３ｂはアクチュエータ駆動部２９の端子３４ａ，３４ｂに接続されている。ＢＭＣ２６は、アクチュエータ駆動部２９を介して接点３３ａと接点３３ｂとの間の導通の有無を検出し、その結果をＮＩＣ２８を介して管理装置３０に通知する。管理装置３０は、接点３３ａと接点３３ｂとの間の導通の有無を示す情報から、異常のあるサーバ１２の交換作業が開始されたか否かを判定する。
【００２９】
なお、交換作業開始検出機構は上記のものに限定されず、作業者がサーバの交換作業を開始したことを検出できるものであればよい。
【００３０】
本実施形態では、異常のあるサーバから冗長サーバにマイグレーションを行う間、サーバの取り外しを防止するロック機構を備える。以下、そのロック機構について説明する。
【００３１】
図６に示すように、アクチュエータ駆動部２９は端子３６ａ，３６ｂを有し、それらの端子３６ａ，３６ｂはアクチュエータ３５の端子３７ａ，３７ｂに接続されている。ＢＭＣ２６は、ＮＩＣ２８を介して管理装置３０から送られてくる信号（命令）に応じて、端子３６ａ，３６ｂからアクチュエータ駆動部２９に供給する電力のオン−オフを行う。
【００３２】
アクチュエータ３５はコイル（図示せず）と、ばね（図示せず）と、可動軸（プランジャ）３５ａとを有する。アクチュエータ駆動部２９からアクチュエータ３５に電力が供給されると、コイルの磁力により、図７（ａ）に示すように可動軸３５ａが本体内に収納される。また、アクチュエータ駆動部２９からアクチュエータ３５への電力供給が停止されると、ばねの付勢力により、図７（ｂ）に示すように可動軸３５ａがその軸方向に飛び出す。
【００３３】
図８，図９（ａ），（ｂ）は、スライドレール１３とアクチュエータ３５との位置関係を示す模式図である。図８はサーバ１２を上から見たときの図、図９（ａ）,（ｂ）はサーバ１２を横から見たときの図である。
【００３４】
図８に示すように、アクチュエータ３５は、一対のスライドレール１３のうちのいずれか一方の側に配置されている。図９（ａ）に示すように、スライドレール１３のアウターレール１３ａ及びインナーレール１３ｂにはそれぞれ所定の位置に穴３８ａ，３８ｂが設けられている。そして、アクチュエータ３５は、可動軸３５ａがアウターレール１３ａの穴３８ａに整合する位置に配置されている。
【００３５】
サーバ１２がラック１１内に収納されているとき、すなわちねじ３２（図５参照）によりサーバ１２がラック１１の支柱１１ｂに固定されて接点３３ａと接点３３ｂとが接触しているときには、アクチュエータ駆動部２９からアクチュエータ３５に電力が供給される。このため、アクチュエータ３５の可動軸３５ａは本体内に収納されている。このとき、アウターレール１３ａの穴３８ａとインナーレール１３ｂの穴３８ｂとは例えば１ｃｍ程度離れている（図９（ａ）参照）。
【００３６】
作業者がねじ３２を緩めてサーバ１２をラック１１から若干（数ｍｍ程度）引き出すと、接点３３ａと接点３３ｂとが離れて（図５参照）、それらの接点３３ａ，３３ｂ間の導通が遮断される。ＢＮＣ２６は、接点３３ａと接点３３ｂとの間の導通が遮断されたことを検出すると、アクチュエータ駆動部２９を介してアクチュエータ３５への電力供給を停止する。
【００３７】
これにより、アクチュエータ３５の可動軸３５ａがばねの付勢力により本体から飛び出して、アウターレール１３ａの穴３８ａ内に進入する。但し、アウターレール１３ａの穴３８ａとインナーレール１３ｂの穴３８ｂとはずれているので、可動軸３５ａの先端はインナーレール１３ｂの壁面に弾性的に接触した状態となる。
【００３８】
その後、作業者がサーバ１２をラック１１から更に数ｍｍ程度引き出すと、アウターレール１３ａの穴３８ａとインナーレール１３ｂの穴３８ｂとが重なり、可動軸３５ａが穴３８ｂ内に進入する（図９（ｂ）参照）。これにより、インナーレール１３ｂがアウターレール１３ａに固定（ロック）されて、それ以上サーバ１２を引き出すことができなくなる。
【００３９】
なお、ロック機構の構造は上記のものに限定されず、マイグレーションを行う間サーバの取り外しができない構造であればよい。
【００４０】
図１０は、本実施形態に係る情報処理装置の構成を示す模式図である。
【００４１】
図１０において、サーバ１２のうち異常が発生したサーバを符号４１で示している。また、符号４２は、異常が発生したサーバ４１のプログラム、データ又はＯＳの移動先となる冗長サーバである。更に、符号４３はストレージ装置であり、ストレージ装置４３には多数のファイルが格納されている。
【００４２】
図１０に示すように、サーバ１２（サーバ４１を含む）、冗長サーバ４２、ストレージ装置４３及び管理装置３０は、ＬＡＮケーブル４４を介して接続されている。
【００４３】
図１１は、サーバ１２の構成を示す図である。
【００４４】
サーバ１２（サーバ４１を含む）は、ＣＰＵ２２及びメモリ２３と仮想化ソフトウェアとにより実現された複数の仮想マシン５１を有する。各仮想マシン５１にはそれぞれゲストＯＳ５２と、ゲストＯＳ５２上で動作するソフトウェア（アプリケーション）５３とが実装されている。また、各仮想マシン５１はそれぞれ仮想ＮＩＣ５４を有しており、それらの仮想ＮＩＣ５４は仮想スイッチ５５を介して物理ＮＩＣ５６ａ〜５６ｄに接続されている。
【００４５】
物理ＮＩＣ５６ａは例えば仮想マシン５１とクライアントとの通信に使用され、物理ＮＩＣ５６ｂは例えば仮想マシン５１を他のサーバに移動する際に使用される。また、物理ＮＩＣ５６ｃは例えばストレージ装置４３との通信に使用され、物理ＮＩＣ５６ｄは例えば管理装置３０との通信に使用される。
【００４６】
図１２は、サーバ１２（サーバ４１を含む）と管理装置３０との間の信号経路を示す図である。
【００４７】
図１２に示すように、管理装置３０にも、サーバ１２と同様に、ＢＭＣ６２が設けられている。また、管理装置３０は、専用のソフトウェア（データセンター管理用ソフトウェア）により実現された監視部６３を有する。
【００４８】
サーバ１２のＢＭＣ２６は、ＬＡＮケーブル６５及びスイッチ（ネットワークスイッチ）６４を介して管理装置３０のＢＭＣ６２と通信することができる。また、サーバ１２のＯＳ６１は、ＬＡＮケーブル６５及びスイッチ（ネットワークスイッチ）６４を介して管理装置３０の監視部６３と通信することができる。
【００４９】
管理装置３０は、サーバ１２のＯＳ６１が正常動作しているときにはＯＳ６１を介してサーバ１２と通信を行う。また、サーバ１２のＯＳ６１がダウンしているときには、ＢＭＣ６２を介してサーバ１２のＢＭＣ２６と通信を行う。
【００５０】
図１３は、管理装置３０の動作（情報処理装置の制御方法）を示すフローチャートである。
【００５１】
まず、ステップＳ１１において、管理装置３０は、各サーバ１２（サーバ４１を含む）の状態を監視する。すなわち、管理装置３０は、各サーバ１２からステータスランプの状態を示す情報を取得する。
【００５２】
その後、ステップＳ１２に移行し、制御部３０は、各サーバ１２から取得した情報に基づいて、異常のあるサーバ１２があるか否かを判定する。全てのサーバ１２に異常がない場合（ＮＯの場合）は、ステップＳ１１に戻る。
【００５３】
一方、ステップＳ１２で異常のあるサーバがあると判定した場合（ＹＥＳの場合）は、ステップＳ１３に移行する。
【００５４】
ステップＳ１３において、管理装置３０は、異常のあるサーバ１２の交換作業が開始されたか否かを監視する。
【００５５】
前述したように、サーバ１２に異常がある場合、そのサーバ１２の前面パネルのステータスランプが点灯する。このため、作業者は異常のあるサーバ１２を容易に特定することができる。以下、異常のあるサーバ１２を、サーバ４１と記載する。作業者は、異常のあるサーバ４１の特定ができたら、サーバの交換作業を開始する。
【００５６】
前述したように、サーバ４１には、図５に示す交換作業開始検出機構、及び図８，図９に示すロック機構が設けられている。ここで、作業者がサーバ４１の前面パネル１２ａのねじ３２を緩めてサーバ４１を数ｍｍ程度引き出すと、接点３３ａと接点３３ｂとの間の導通が遮断され、アクチュエータ３５が駆動する。これにより、サーバ４１はラック１１に固定（ロック）される。
【００５７】
接点３３ａと接点３３ｂとの間の導通が遮断された旨の情報は、サーバ４１から管理装置３０に伝達される。その情報に基づいて管理装置３０はサーバ４１の交換作業が開始されたものと判定し、ステップＳ１４に移行する。
【００５８】
ステップＳ１４において、管理装置３０は、専用のソフトウェア（例えばｖＭｏｔｉｏｎ（商標）等）を実行して、サーバ４１から冗長サーバ４２へのマイグレーションを開始する。
【００５９】
次に、ステップＳ１５において、管理装置３０は、マイグレーションが終了したか否かを判定し、マイグレーションが終了するまで待つ。そして、ステップＳ１５において管理装置３０がマイグレーションが終了したと判定すると（ＹＥＳの場合）、ステップＳ１６に移行する。
【００６０】
ステップＳ１６において、管理装置３０はロック機構を解除する。すなわち、管理装置３０は、サーバ４１のＢＭＣ２６に所定の信号（命令）を送信する。ＢＭＣ２６は、この信号を受信すると、アクチュエータ駆動部２９を介してアクチュエータ３５に電力を供給する。これによりロックが解除され、サーバ４１をラック１１から引き出すことが可能となる。また、管理装置３０は、ＢＭＣ２６を介してサーバ４１の電源をオフにする。
【００６１】
次に、ステップＳ１７に移行し、管理装置３０は、作業者によるサーバの交換作業が終了するのを待つ。
【００６２】
作業者は、サーバ４１の電源がオフであることを確認した後、サーバ４１を新しいサーバ１２に交換する作業を行う。すなわち、作業者は、サーバ４１をラック１１から引き出し、電線ケーブル及び通信ケーブル等を取り外した後、更にサーバ４１をスライドレール１３から取り外す。
【００６３】
次いで、作業者は、新しいサーバ１２をスライドレール１３に取り付け、電源ケーブル及び通信ケーブル等を取り付けた後、ラック１１内に収納する。
【００６４】
新しいサーバ１２をラック１１内に収納すると、サーバ１２の接点３３ａとラック１１の支柱１１ｂ側の接点３３ｂ（図５参照）とが接触して、それらの接点３３ａ，３３ｂ間が電気的に接続される。この情報は、交換後の新しいサーバ１２のＢＭＣ２６を介して管理装置３０に伝達される。
【００６５】
管理装置３０は、新しいサーバ１２から伝達された情報により、作業者によるサーバの交換作業が終了したものと判定し、ステップＳ１８に移行する。
【００６６】
なお、ここでは接点３３ａと接点３３ｂとが電気的に接続したことを検出して作業者によるサーバの交換作業が終了したものと判定している。しかし、新しいサーバ１２に電源ケーブル及び通信ケーブルが接続され、電源がオンになったことを検出して作業者によるサーバの交換作業が終了したと判定するようにしてもよい。
【００６７】
ステップＳ１７において、管理装置３０が作業者によるサーバの交換作業が終了したと判定すると、ステップＳ１８に移行する。ステップＳ１８において、管理装置３０は、新しいサーバ１２にハイパーバイザー（仮想マシンを実現するためのソフトウェア）をインストールする。その後、ステップＳ１９に移行し、管理装置３０は、冗長サーバ４２から新しいサーバ１２にマイグレーションを行う。
【００６８】
このようにして、サーバの交換作業が完了する。
【００６９】
上述したように、本実施形態では、管理装置３０が、サーバ１２（サーバ４１を含む）から送られてくる情報に基づいて異常のあるサーバの有無を監視する。そして、管理装置３０は、異常のあるサーバがあると判定した場合、サーバ交換作業開始検出機構により作業者によるサーバの交換作業が開始されたか否かを検出する。そして、管理装置３０は、作業者による交換作業が開始されたと判定すると、異常のあるサーバ４１から冗長サーバ４２にマイグレーションを実行し、更に冗長サーバ４２から交換後の新しいサーバ１２にマイグレーションを実行する。
【００７０】
従って、作業者は、異常のあるサーバ４１をラック１１から若干引き出した後、マイグレーションが終了するまで待ち、その後新しいサーバ１２をスライドレール１３に取り付けてラック１１内に収納するだけでよく、特別な技術を必要としない。これにより、サーバの交換作業に要する時間及び人件費を大幅に削減できるという効果を奏する。
【００７１】
（変形例）
上述した実施形態では、サーバ１２をラック１１に固定（係止）する係止部としてねじ３２（図５参照）を使用しているが、ねじ３２に替えてレバーによりサーバ１２をラック１１に固定するようにしてもよい。以下に、係止部としてクイックレバーを用いた例について説明する。
【００７２】
図１４（ａ）,（ｂ）はクイックレバーを示す図である。
【００７３】
図１４（ａ）に示すように、クイックレバー７０は、ラック１１の支柱１１ｂに設けられたフック７１と、サーバ１２の前面パネル１２ａに設けられたレバー７２とを備える。図１４（ｂ）に示すように、フック７１とレバー７２とを勘合させることで、サーバ１２をラック１１に簡単に固定できる。この場合、固定時に接触するフック７１の面とレバー７２の面とを導電性とし、それらの面を接点３３ａ，３３ｂとすることで、前述の実施形態と同様に動作する。
【符号の説明】
【００７４】
１１…ラック、１２，４１…サーバ、１２ａ…前面パネル、１３…スライドレール、１３ａ…アウターレール、１３ｂ…インナーレール、２１…配線基板、２２…ＣＰＵ、２３…メモリ、２４…電源ユニット、２５…ハードディスク、２６，６２…ＢＭＣ、２７…ファン、２８…ＮＩＣ、３０…管理装置、３２…ねじ、３３ａ，３３ｂ…接点、３４ａ，３４ｂ，３６ａ，３６ｂ，３７ａ，３７ｂ…端子、３５…アクチュエータ、３８ａ，３８ｂ…穴、４２…冗長サーバ、４３…ストレージ装置、４４，６５…ＬＡＮケーブル、５１…仮想マシン、５２…ゲストＯＳ、５３…アプリケーション、５４…仮想ＮＩＣ、５５…仮想スイッチ、５６ａ〜５６ｄ…物理ＮＩＣ、６１…ＯＳ、６３…監視部。
【図１】
2018081417.tif 000003
【図２】
2018081417.tif 000004
【図３】
2018081417.tif 000005
【図４】
2018081417.tif 000006
【図５】
2018081417.tif 000007
【図６】
2018081417.tif 000008
【図７】
2018081417.tif 000009
【図８】
2018081417.tif 000010
【図９】
2018081417.tif 000011
【図１０】
2018081417.tif 000012
【図１１】
2018081417.tif 000013
【図１２】
2018081417.tif 000014
【図１３】
2018081417.tif 000015
【図１４】
2018081417.tif 000016